(57)【要約】【課題】車両用シートのように大きくて重く持ち運び等が困難な被洗浄物を洗浄する場合に、洗浄作業の効率化を図ることのできる洗浄装置を提供する。【解決手段】複数の洗浄機器１０、２０等よりなる洗浄機器群Ａを収容可能な収容部４１を有する基台４０と、基台４０の上に回転自在に保持され、被洗浄物としてのシート１が自己の上に置かれる回転洗浄台５０とを備えている。第１洗浄機機１０は、スチーム及び洗浄剤の両者を同時に吐出可能であるとともに両者のうちの一方を選択的に吐出可能である第１ノズルを有する。第２洗浄機器２０は、水気の吸引及び水の噴霧の両者を同時に実行可能であるとともに両者のうちの一方を選択的に実行可能である第２ノズルを有する。【選択図】        図１
2005081232.tif 000002
【特許請求の範囲】
【請求項１】
二つ以上の洗浄機器よりなる洗浄機器群を収容可能な収容部を有する基台と、
前記基台の上に回転自在に保持され、被洗浄物が自己の上に置かれる回転洗浄台とを備えていることを特徴とする洗浄装置。
【請求項２】
前記基台に対して前記回転洗浄台を回転不能状態に保持するストッパ手段をさらに備えていることを特徴とする請求項１記載の洗浄装置。
【請求項３】
前記ストッパ手段は、作業者が踏むことでストッパ機能を解除可能な足踏みレバーを有していることを特徴とする請求項２記載の洗浄装置。
【請求項４】
前記洗浄機器群のうちの一つは、スチーム及び洗浄剤の両者を同時に吐出可能であるとともに両者のうちの一方を選択的に吐出可能である第１ノズルを有する第１洗浄機器であることを特徴とする請求項１、２又は３記載の洗浄装置。
【請求項５】
前記第１ノズルは、前記スチームの吐出をオン状態又はオフ状態に切り替え制御可能な第１切替スイッチと、前記洗浄剤の吐出を作業者による操作時にオン状態にし非操作時にオフ状態にする自動復帰可能な第１復帰スイッチとを具備することを特徴とする請求項４記載の洗浄装置。
【請求項６】
前記洗浄機器群のうちの一つは、水気の吸引及び水の噴霧の両者を同時に実行可能であるとともに両者のうちの一方を選択的に実行可能である第２ノズルを有する第２洗浄機器であることを特徴とする請求項１、２、３、４又は５記載の洗浄装置。
【請求項７】
前記第２ノズルは、前記水気の吸引をオン状態又はオフ状態に切り替え制御可能な第２切替スイッチと、前記水の噴霧を作業者による操作時にオン状態にし非操作時にオフ状態にする自動復帰可能な第２復帰スイッチとを具備することを特徴とする請求項６記載の洗浄装置。
【請求項８】
前記洗浄機器群のうちの一つは、エアーを噴射可能な第３ノズルを有する第３洗浄機器であることを特徴とする請求項１、２、３、４、５、６又は７記載の洗浄装置。
【請求項９】
前記基台は、該基台を移動自在とするキャスターを有していることを特徴とする請求項１、２、３、４、５、６、７又は８記載の洗浄装置。
【発明の詳細な説明】
【技術分野】
【０００１】
本発明は洗浄装置に関し、特に、持ち運びや移動等が困難な被洗浄物を洗浄するのに好適な洗浄装置に関する。本発明の洗浄装置は、例えば車体から取り外した車両用シートを洗浄する際に好適に利用することができる。
【背景技術】
【０００２】
自動車等の車両の例えばフロントシートを洗浄する場合、シートを車体から取り外すようなことはしないで、車体に装着したままの状態でシートを洗浄するのが一般的である。
【０００３】
このとき、一般のシミ抜き法と同様に、シート専用等の洗浄剤をハンドスプレー等でシートの汚れ部分に噴霧等し、たたくようにして汚れをとり、続いてきれいな布等で拭くという方法が採られている。
【０００４】
また、洗浄剤をシートの汚れ部分に塗布し、ブラッシングした後又はブラッシングしながらきれいな水をスプレーして濯ぎ洗いする。そして、この濯ぎの水をスプレーするのとほぼ同時ぐらいに、水と洗浄剤が混ざった汚れた洗浄液を吸引機で吸引する方法も知られている（例えば、特許文献１等参照）。
【特許文献１】特開平１１−１１２５８号公報
【発明の開示】
【発明が解決しようとする課題】
【０００５】
しかし、このように車体に装着したままのシートに対して行う洗浄作業では、シートの細部まで細かく洗浄することが困難である。また、狭い車室内で作業するため、作業者は無理な姿勢を強いられ、作業者の負担がかかるとともに、作業効率も悪くなる。
【０００６】
そこで、車体からシートを取り外して洗浄すれば、シートの細部まで細かく洗浄することができる。また、作業者も比較的楽な姿勢で作業することができるので、作業者の負担が軽減するとともに、作業効率も向上する。
【０００７】
ところが、車両用シートは大きくて重いため、作業者がこれを手に持って洗浄することは当然できない。このため、床や台等にシートを置いた状態で、洗浄作業を行うことになる。
【０００８】
このように車体から取り外して床等に置いた状態のシートを洗浄するとき、作業者は、シートの背面や側面等にわたってシート全体を洗浄すべく、シートの周りを回りながら洗浄する必要があるため、作業効率が悪い。
【０００９】
また、洗浄作業は、前述のとおり、種々の洗浄機器を取り替えながら行うが、これらの洗浄機器が一カ所にまとまって置かれていないと、取り替え作業に手間取り、作業効率も悪くなる。
【００１０】
したがって、車体からシートを取り外した状態のシートを洗浄する場合であっても、作業効率がさほどいいとは必ずしも言えなかった。
【００１１】
本発明は上記実情に鑑みてなされたものであり、車両用シートのように大きくて重く持ち運び等が困難な被洗浄物を洗浄する場合に、洗浄作業の効率化を図ることのできる洗浄装置を提供することを解決すべき技術課題とするものである。
【課題を解決するための手段】
【００１２】
上記課題を解決する本発明の洗浄装置は、二つ以上の洗浄機器よりなる洗浄機器群を収容可能な収容部を有する基台と、前記基台の上に回転自在に保持され、被洗浄物が自己の上に置かれる回転洗浄台とを備えていることを特徴とするものである。
【００１３】
この洗浄装置では、被洗浄物が置かれる洗浄台が基台に対して回転可能な回転洗浄台とされている。このため、この回転洗浄台の上に被洗浄物を置いた状態で洗浄作業を行えば、被洗浄物を回転洗浄台と共に回転させながら洗浄することができる。したがって、例えば、被洗浄物の正面のみならず背面や側面等を洗浄する際に、作業者が被洗浄物の周囲を回る必要がなく、被洗浄物を回転洗浄台と共に回転させれば済む。よって、特に、大きく又は重くて持ち運びや移動等が困難な被洗浄物を洗浄する際などに、洗浄作業の効率化を図ることができる。
【００１４】
また、この洗浄装置では、二つ以上の洗浄機器よりなる洗浄機器群を収容可能な収容部を基台が有している。このため、複数の洗浄機器を用いて洗浄する場合に用いる洗浄機器の全てをこの収容部に収容しておけば、洗浄機器を取り替えるときに他の場所へ移動する必要がない。したがって、洗浄作業の効率化を図ることができる。
【００１５】
好適な態様において、前記基台に対して前記回転洗浄台を回転不能状態に保持するストッパ手段をさらに備えている。
【００１６】
この態様によれば、ストッパ手段により回転洗浄台を回転不能状態に保持することができるので、洗浄作業中に回転洗浄台と共に被洗浄物が不意に回転してしまうことを確実に防ぐことができる。このため、被洗浄物が回転して洗浄作業の妨げになることを確実に防止することができ、洗浄作業の一層の効率化を図ることが可能となる。
【００１７】
好適な態様において、前記ストッパ手段は、作業者が踏むことでストッパ機能を解除可能な足踏みレバーを有している。
【００１８】
この態様によれば、作業者が足踏みレバーを踏むことによりストッパ機能を解除して回転洗浄台を回転可能とすることができる。このため、例えば作業者は、片方の手で洗浄機器を持ちながら足踏みレバーを踏んでストッパ機能を解除することにより、洗浄機器を持っていない方の手で回転洗浄台と共に被洗浄物を容易に回転させることができる。したがって、洗浄作業の一層の効率化を図ることが可能となる。
【００１９】
好適な態様において、前記洗浄機器群のうちの一つは、スチーム及び洗浄剤の両者を同時に吐出可能であるとともに両者のうちの一方を選択的に吐出可能である第１ノズルを有する第１洗浄機器である。
【００２０】
この態様によれば、スチームによる洗浄及び洗浄剤による洗浄の両者を同時に行ったり、あるいはどちらか一方の洗浄を選択的に行ったりすることができるので、洗浄作業の効率化に寄与しうるとともに、スチーム洗浄及び洗浄剤洗浄双方の洗浄作用により被洗浄物に対する洗浄効果を増大させることができる。また、スチームを吐出しながら洗浄剤を吐出した場合は、スチーム及び洗浄剤の双方による洗浄効果を同時に達成することができるとともに、スチームの熱により洗浄剤による洗浄効果を向上させることもできるので、洗浄時間の短縮化のみならず洗浄効果のさらなる増大も期待できる。
【００２１】
好適な態様において、前記第１ノズルは、前記スチームの吐出をオン状態又はオフ状態に切り替え制御可能な第１切替スイッチと、前記洗浄剤の吐出を作業者による操作時にオン状態にし非操作時にオフ状態にする自動復帰可能な第１復帰スイッチとを具備する。
【００２２】
この態様によれば、第１切替スイッチの切り替えによりスチームの吐出をオン状態又はオフ状態にしたまま、作業者は第１復帰スイッチの操作により洗浄剤の吐出をオン状態にしたり、あるいはこの第１復帰スイッチの操作をやめて洗浄剤の吐出をオフ状態にしたりすることができる。このため、例えば、スチームの吐出がオン状態となるように第１切替スイッチを切り替えた状態で、作業者が第１復帰スイッチを操作すること及びその操作をやめることを繰り返せば、スチーム及び洗浄剤の両者を同時に第１ノズルから吐出させること及びスチームのみを第１ノズルから吐出させることを繰り返すことができる。したがって、洗浄作業の一層の効率化を図ることが可能となる。
【００２３】
好適な態様において、前記洗浄機器群のうちの一つは、水気の吸引及び水の噴霧の両者を同時に実行可能であるとともに両者のうちの一方を選択的に実行可能である第２ノズルを有する第２洗浄機器である。
【００２４】
この態様によれば、水気の吸引及び水の噴射の両者を同時に行ったり、あるいはどちらか一方を選択的に行ったりすることができるので、水の噴射による濯ぎ洗いを効率的に行うことができ、洗浄作業の効率化に寄与しうる。また、水気を吸引しながら水を噴射した場合は、水気を吸引しながら濯ぎ洗いをすることができるので、洗浄作業の効率化を図れるとともに、被洗浄物が水で冒されるようなことを防ぐことができる。
【００２５】
好適な態様において、前記第２ノズルは、前記水気の吸引をオン状態又はオフ状態に切り替え制御可能な第２切替スイッチと、前記水の噴霧を作業者による操作時にオン状態にし非操作時にオフ状態にする自動復帰可能な第２復帰スイッチとを具備する。
【００２６】
この態様によれば、第２切替スイッチの切り替えにより水気の吸引をオン状態又はオフ状態にしたまま、作業者は第２復帰スイッチの操作により水の噴射をオン状態にしたり、あるいはこの第２復帰スイッチの操作をやめて水の噴射をオフ状態にしたりすることができる。このため、例えば、水気の吸引がオン状態となるように第２切替スイッチを切り替えた状態で、作業者が第２復帰スイッチを操作すること及びその操作をやめることを繰り返せば、水気を吸引しながら水を噴射すること及び水の噴射を止めた状態で水気を吸引することを繰り返すことができる。したがって、濯ぎ洗いを一層効率的に行うことができ、洗浄作業の一層の効率化を図ることが可能となる。
【００２７】
好適な態様において、前記洗浄機器群のうちの一つは、エアーを噴射可能な第３ノズルを有する第３洗浄機器である。
【００２８】
この態様によれば、エアー噴射により、被洗浄物に付いた埃や塵等を吹き払うことができる。また、このエアー噴射を洗浄剤洗浄等の前に行って被洗浄物に付いた埃や塵等を予め除去しておけば、洗浄剤等による洗浄効果を一層高めることができる。
【００２９】
好適な態様において、前記基台は、該基台を移動自在とするキャスターを有している。
【００３０】
この態様によれば、複数の洗浄機器を収容部に収容したまま、被洗浄物を回転洗浄台の上に載せた状態又は載せない状態で任意の場所に移動することができる。このため、洗浄作業のし易い場所に移動することにより洗浄作業の効率化に寄与しうる。また、洗浄作業に用いる複数の洗浄機器を全て収容部に収容しておけば、それらをまとめて移動させることができるとともに、移動した場所にすぐに洗浄作業に取り掛かることができる。さらに、場合によっては、移動不可能又は困難な被洗浄物に対しても効率的な洗浄が可能となる。
【発明を実施するための最良の形態】
【００３１】
以下、本発明の実施形態の一つについて、図面を参照しつつ説明する。
【００３２】
（第１実施形態）
本実施形態は、自動車のフロントシートを車体から取り外した後、このフロントシート１を被洗浄物として、洗浄装置により洗浄する場合を例に、以下説明する。
【００３３】
まず、図１〜図４を参照して、本実施形態に係る洗浄装置の構成から説明する。この洗浄装置は、図１に示されるように、複数の洗浄機器１０、２０等よりなる洗浄機器群Ａを収容可能な収容部４１を有する基台４０と、基台４０の上に回転自在に保持され、フロントシート１が自己の上に置かれる回転洗浄台５０と、基台４０に対して回転洗浄台５０を回転不能状態に保持するストッパ手段６０とを備えている。
【００３４】
基台４０は、略正方形状の天井面４２及び底面４３を有し、これら天井面４２及び底面４３のそれぞれの四隅部分に垂直に延びる４本の棒状辺部４４が結合されている。これにより、天井面４２及び底面４３間に前記収容部４１が形成されている。また、基台４０の側面部分には、垂直に延びて天井面４２及び底面４３に結合された棒状の側面補強部４５が適宜設けられている。さらに基台４０の正面（図１の右側面）には、洗浄作業に用いるブラシや布等を収容可能な２個の収容棚部４６が設けられいる。また、底面４３の下面の四隅には、基台４０を移動自在とする４個のキャスタ４７が取り付けられている。
【００３５】
回転洗浄台５０は、天井面４２と略同一形状（略正方形）の板材よりなり、ベアリング（図示せず）等よりなる回転機構５１を介して天井面４２の上面に回転自在に保持されている。この回転洗浄台５０を回転不能に保持するストッパ手段６０は、回転洗浄台５０の下面に当接することによりストッパ機能を果たすストッパ部６１と、作業者が踏むことでストッパ部６１のストッパ機能を解除可能な足踏みレバー部６２と、上下方向に垂直に延びてストッパ部６１に結合されるとともに下端が足踏みレバー部６２に結合された連結棒６３とを有している。そして、連結棒６３の上端部分には、連結棒６３と共にストッパ部６１を上方に付勢するばね部材（図示せず）が介装されている。この構成により、足踏みレバー部６２が踏まれていない通常状態では、ばね部材のばね力によりストッパ部６１が回転洗浄台５０の下面に当接して押圧されており、これにより回転洗浄台５０が回転不能状態とされる。そして、足踏みレバー部６２が踏まれると、それに応じて連結棒６３と共にストッパ部６１がばね部材のばね力に抗して下降し、その結果ストッパ部６１が回転洗浄台５０の下面から離れることによりストッパ部６１のストッパ機能が解除され、回転洗浄台５０が回転自在とされる。
【００３６】
前記洗浄機器群Ａは、第１洗浄機器１０と、第２洗浄機器２０と、第３洗浄機器３０とから構成されている。
【００３７】
第１洗浄機器１０は、図２に示されるように、スチーム及び洗浄剤の両者を同時に吐出可能であるとともに両者のうちの一方を選択的に吐出可能である第１ノズル１１を有している。
【００３８】
この第１ノズル１１は、第１握り部１１ａと第１ノズル部１１ｂとを有しており、第１ノズル部１１ｂの先端にはスチーム及び洗浄剤のうちの少なくとも一方を噴霧可能な単一の第１噴霧口１１ｃが設けられている。そして、第１ノズル１１の第１握り部１１ａには、第１ノズル部１１ｂにスチーム及び洗浄剤のうちの少なくとも一方を供給するための第１ホース１２の先端部が連結されている。この第１ホース１２の基端側は二股に枝分かれして一方の基端部１２ａがボイラ１３に連結され、他方の基端部１２ｂが洗浄剤タンク１４に連結されている。ボイラ１３は連結ホース１５を介して第１清水タンク１６に連結されている。こうして、ボイラ１３の作動により、第１清水タンク１６内の水は連結ホース１５を介してボイラ１３内に導かれてスチームとされ、このスチームは基端部１２ａ、第１ホース１２及び第１握り部１１ａを介して第１ノズル部１１ｂに圧送され第１噴霧口１１ｃから噴霧されるようになっている。また、洗浄剤タンク１４には、洗浄剤用ポンプ１７が連結されており、洗浄剤用ポンプ１７の作動により、洗浄剤タンク１４内の洗浄剤は基端部１２ｂ、第１ホース１２及び第１握り部１１ａを介して第１ノズル１１ｂに圧送されて第１噴霧口１１ｃから噴霧されるようになっている。
【００３９】
また、第１ノズル１１には、スチームの吐出をオン状態又はオフ状態に切り替え制御可能な第１切替スイッチ１８と、洗浄剤の吐出を作業者による操作時にオン状態にし非操作時にオフ状態にする自動復帰可能な押圧式の第１復帰スイッチ１９とが、第１握り部１１ａに近い第１ノズル部１１ｂに設けられている。
【００４０】
すなわち、第１切り替えスイッチ１８がオン側に切り替えられると、ボイラ１３が作動して、第１ホース１２を介してスチームが第１ノズル１１に供給され、スチームの噴霧がオン状態とされる。一方、第１切り替えスイッチ１８がオフ側に切り替えられると、ボイラ１３が停止して第１ノズル１１へのスチームの供給が止まり、スチームの噴霧がオフ状態とされる。また、作業者が第１復帰スイッチ１９を押圧操作すると、洗浄剤用ポンプ１７が作動して、第１ホース１２を介して洗浄剤が第１ノズル１１に供給され、洗浄剤の噴霧がオン状態とされる。この洗浄剤の噴霧は作業者が第１復帰スイッチ１９を押圧操作している間はずっとオン状態とされる。一方、作業者が第１復帰スイッチ１９の押圧操作を止めると（非操作状態にすると）、第１復帰スイッチ１９が自動的に復帰する。これにより、洗浄剤用ポンプ１７が停止して第１ノズル１１への洗浄剤の供給が止まり、洗浄剤の噴霧がオフ状態とされる。
【００４１】
第２洗浄機器２０は、図３に示されるように、水気の吸引及び水の噴霧の両者を同時に実行可能であるとともに両者のうちの一方を選択的に実行可能である第２ノズル２１を有している。
【００４２】
この第２ノズル２１は、第２握り部２１ａと第２ノズル部２１ｂとを有しており、第２握り部２１ａの先端には水気を吸引するための吸引口２１ｃが設けられ、第２ノズル部２１ｂの先端には水を噴霧するための第２噴霧口２１ｄが設けられている。そして、第２握り部２１ａには、吸引用ホース２２ａの先端部が連結されている。この吸引用ホース２２ａの基端部は汚水タンク２３に連結されている。汚水タンク２３は連結ホース２３ａを介して吸引ポンプ２４に連結されている。こうして、吸引ポンプ２４の作動により、汚水タンク２３内及び吸引用ホース２２ａ内が吸引されて、吸引口２１ｃから水気を吸引することができるようになっており、また吸引口２１ｃから吸引した水気は第２握り部２１ａ、吸引用ホース２２ａを介して汚水タンク２３に導かれて汚水タンク２３内に貯まるようになっている。一方、第２ノズル部２１ｂには、第２ノズル部２１ｂに水を供給するための水噴霧用ホース２２ｂの先端部が連結されている。この水噴霧用ホース２２ｂの基端部は第２清水タンク２５に連結されている。第２清水タンク２５には、清水用ポンプ２６が連結されており、清水用ポンプ２６の作動により、第２清水タンク２５内の水は水噴霧用ホース２２ｂを介して第２ノズル部２１ｂに圧送されて第２噴霧口２１ｄから噴霧されるようになっている。
【００４３】
また、第２ノズル２１には、水気の吸引をオン状態又はオフ状態に切り替え制御可能な第２切替スイッチ２８と、水の噴霧を作業者による操作時にオン状態にし非操作時にオフ状態にする自動復帰可能な握りレバー式の第２復帰スイッチ２９とが、第２握り部２１ａに設けられている。
【００４４】
すなわち、第２切り替えスイッチ２８がオン側に切り替えられると、吸引ポンプ２４が作動して、汚水タンク２３内及び吸引用ホース２２ａ内が吸引され、水気の吸引がオン状態とされる。一方、第２切り替えスイッチ２８がオフ側に切り替えられると、吸引ポンプ２４が停止して水気の吸引がオフ状態とされる。また、作業者が第２復帰スイッチ２９を握り操作すると、清水用ポンプ２６が作動して、水噴霧用ホース２２ｂを介して水が第２ノズル部２１ｂに供給され、水の噴霧がオン状態とされる。この水の噴霧は作業者が第２復帰スイッチ２９を握り操作している間はずっとオン状態とされる。一方、作業者が第２復帰スイッチ２９の握り操作を止めると（非操作状態にすると）、第２復帰スイッチ２９が自動的に復帰する。これにより、清水用ポンプ２６が停止して第２ノズル部２１ｂへの水の供給が止まり、水の噴霧がオフ状態とされる。
【００４５】
第３洗浄機器３０は、図４に示されるように、エアーを噴射可能な第３ノズル３１を有している。この第３ノズル３１は、第３握り部３１ａと第３ノズル部３１ｂとを有しており、第３ノズル部３１ｂの先端にはエアーを噴射するためのエアー噴射口３１ｃが設けられている。そして、第３握り部３１ａにはエアー供給ホース３２の先端部が連結されている。このエアー供給ホース３２の基端部はエアーポンプ（図示せず）に連結されている。こうして、エアーポンプの作動により、エアー供給ホース３２及び第３握り部３１ａを介して第３ノズル部３１ｂにエアーが圧送されてエアー噴射口３１ｃから噴射されるようになっている。
【００４６】
また、第３ノズル３１は、エアーの噴射を作業者による操作時にオン状態にし非操作時にオフ状態にする自動復帰可能な握りレバー式の第３復帰スイッチ３３を具備している。すなわち、作業者が第３復帰スイッチ３３を握り操作すると、エアーポンプが作動して、エアー供給ホース３２を介してエアーが第３ノズル３１に圧送され、エアーの噴射がオン状態とされる。このエアーの噴射は作業者が第３復帰スイッチ３３を握り操作している間はずっとオン状態とされる。一方、作業者が第３復帰スイッチ３３の握り操作を止めると（非操作状態にすると）、第３復帰スイッチ３３が自動的に復帰する。これにより、エアーポンプ７が停止して第３ノズル１１へのエアーの供給が止まり、エアーの噴射がオフ状態とされる。
【００４７】
次に、この洗浄装置を用いたフロントシート１の洗浄方法の一例について説明する。なお、以下に示す洗浄方法はあくまでも好ましい態様における一例であり、工程の順序や、各工程で用いる洗浄機器の操作（スイッチ操作等）の仕方等は何ら限定されるものではない。
【００４８】
まず、洗浄作業に必要な洗浄機器は全て基台４０の収容部４１内に予め収容しておく。そして、車体から取り外されたフロントシート１を回転洗浄台５０の上に載せる。このとき、予めフロントシート１が車体から取り外されているなら、このフロントシート１が置かれた場所まで、この洗浄装置をキャスタ４７を介して移動させれば、作業者が重いフロントシート１を運ぶ必要がなくなり、作業者の負担が軽減される。一方、フロントシート１が未だ車体から取り外されていないときは、車体からのフロントシート１の取り外し、移動及び回転洗浄台５０への載置は、後述するように、車両用シートの着脱補助装置を用いれば容易に行うことができる。
【００４９】
フロントシート１の洗浄作業は、まず、エアーの噴射から行う。すなわち、作業者は収容部４１内に収容された第３ノズル３１を手に取り、手元にある第３復帰スイッチ３３を握り操作する。これにより、エアーポンプが作動して、第３ノズル部３１ｂにエアーが圧送されるので、エアー噴射口３１ｃからこのエアーをフロントシート１に向かって噴射する。こうして、まずフロントシート１付いている埃や塵等を吹き払う。このように、エアー噴射を洗浄剤洗浄等の前に行ってフロントシート１に付いた埃や塵等を予め除去しておけば、洗浄剤等による洗浄効果を一層高めることができる。また、このエアー噴射中に、作業者は、必要に応じて、第３復帰スイッチ３３の握り操作を止めて（非操作状態にして）、第３復帰スイッチ３３を自動復帰させれば、エアーの噴射をオフ状態にすることができる。
【００５０】
次に、作業者は第３ノズル３１の代わりに第１ノズル１１を手に取り、スチーム洗浄及び洗浄剤洗浄を行う。まず、手元にある第１切り替えスイッチ１８を切り替えてスチームの吐出をオン状態にする。これにより、ボイラ１３が作動して、基端部１２ｂ及び第１ホース１２を介して第１ノズル部１１ｂにスチームを供給されるので、第１噴霧口１１ｃからこのスチームをフロントシート１に向かって噴射する。こうして、フロントシート１をスチーム洗浄をする。このスチーム洗浄と同時に、又はこのスチーム洗浄をしながら、適宜、手元にある第１復帰スイッチ１９を押圧操作する。これにより、洗浄剤用ポンプ１７が作動して、洗浄剤タンク１４から基端部１２ｂを介して第１ホース１２内に洗浄剤が供給されるので、第１噴霧口１１ｃからスチームと共に洗浄剤をフロントシート１に向かって噴霧する。こうして、スチーム洗浄と同時に洗浄剤洗浄を行う。このように、スチーム洗浄及び洗浄剤洗浄を同時に行えば、双方の洗浄作用によりフロントシート１に対する洗浄効果を増大させることができる。また、スチームの熱により洗浄剤による洗浄効果を向上させることもできるので、洗浄時間の短縮化のみならず洗浄効果のさらなる増大も期待できる。そして、この洗浄作業中に、作業者は、必要に応じて、第１復帰スイッチ１９の押圧操作を止めて（非操作状態にして）、第１復帰スイッチ１９を自動復帰させれば、洗浄剤の噴霧をオフ状態にして、スチーム洗浄のみを行うことができる。なお、この洗浄作業は、ブラシを用いてブラッシングしながら行うとよい。
【００５１】
次に、作業者は第１ノズル１１の代わりに第２ノズル２１を手に取り、水気の吸引及び水の噴霧を行う。まず、手元にある第２切替スイッチ２８を切り替えて水気の吸引をオン状態にする。これにより、吸引ポンプ２４が作動して、吸引用ホース２２ａ及び第２握り部２１ａ内等が吸引されるので、吸引口２１ｃをフロントシート１に押さえつけながら移動させることにより、フロントシート１に付いた水気を吸引口２１ｃから吸引する。この水気の吸引と同時に、又はこの水気の吸引をしながら、適宜、手元にある第２復帰スイッチ２９を握り操作する。これにより、清水用ポンプ２６が作動して、第２清水タンク２５６から水噴霧用ホース２２ｂを介して第２ノズル部２１ｂ内に水が供給されるので、第２噴霧口２１ｄから水をフロントシート１に向かって噴霧する。こうして、水気の吸引をしながら水の噴霧による濯ぎ洗いをする。このように、水気を吸引しながら濯ぎ洗いをすることにより、洗浄作業の効率化を図れるとともに、フロントシート１が水で冒されるようなことを防ぐことができる。そして、この作業中に、作業者は、必要に応じて、第２復帰スイッチ２９の握り操作を止めて（非操作状態にして）、第２復帰スイッチ２９を自動復帰させれば、水の噴霧をオフ状態にして、水気の吸引のみを行うことができる。
【００５２】
以上の作業でフロントシート１の洗浄を終えることができるが、こうした作業中に、作業者は、適宜、足踏みレバー部６２を踏むことにより、ストッパ部６１のストッパ機能を解除すれば、回転洗浄台５０を回転自在とすることができるので、回転洗浄台５０と共にフロントシート１を回転させることが可能である。したがって、例えば、フロントシート１の正面のみならず背面や側面等を洗浄する際に、作業者がフロントシート１の周囲を回る必要がなく、片方の手で洗浄機器を持ちながら足踏みレバー部６２を踏んでストッパ機能を解除することにより、洗浄機器を持っていない方の手で回転洗浄台５０と共にフロントシート１を容易に回転させることができる。よって、洗浄作業の効率化を図ることができる。
【００５３】
また、この洗浄装置では、３つの洗浄機器１０、２０及び３０よりなる洗浄機器群Ａを全て基台４０の収容部４１に収容しているので、洗浄機器を取り替える際に他の場所へ移動する必要がない。したがって、洗浄作業の効率化を一層図ることができる。
【００５４】
さらに、この洗浄装置は、キャスタ４７により移動自在とされているので、複数の洗浄機器を収容部４１に収容したまま、被洗浄物を回転洗浄台５０の上に載せた状態又は載せない状態で任意の場所に移動することができる。このため、洗浄作業のし易い場所に移動することにより洗浄作業の効率化に寄与しうる。また、洗浄作業に用いる複数の洗浄機器を全て収容部４１に収容しておけば、それらをまとめて移動させることができるとともに、移動した場所ですぐに洗浄作業に取り掛かることができる。さらに、場合によっては、移動不可能又は困難な被洗浄物に対しても効率的な洗浄が可能となる。すなわち、例えば車室内を洗浄する際、具体的にはインストルメントパネル、天井部や床部等の他、取り外しが困難なリアシート等を洗浄する際にもこの洗浄装置を利用することができる。
【００５５】
（第２実施形態）
この実施形態は、車両用シートの着脱補助装置を用いて車体からフロントシート１を取り外した後、同車両用シートの着脱補助装置を用いて、車体から外したフロントシート１をそのまま前記第１実施形態で説明した洗浄装置まで移動させるとともに、前記回転洗浄台５０の上にフロントシート１を載せて、同洗浄装置で洗浄するものである。
【００５６】
したがって、この実施形態によれば、車体からのフロントシート１の取り外し、このフロントシート１の移動、前記回転洗浄台５０への搭載及び洗浄の一連の工程を、車両用シートの着脱補助装置及び前記洗浄装置を用いて連続的に行うことができ、フロントシート１の取り外しから洗浄に至るまでの作業において、作業者の負担を一層軽減できるとともに、作業効率を一層向上させることができる。
【００５７】
以下、この実施形態で用いる車両用シートの着脱補助装置について、説明する。
【００５８】
この車両用シートの脱着補助装置は、その全体構成を図５及び図６に模式的に示すように、台車１１０と、アーム１２０と、昇降手段１３０と、保持手段１４０とから構成されている。
【００５９】
台車１１０は、基台１１１と、この基台１１１を移動自在とするように基台１１１の下面の四隅に取り付けられた４個のキャスタ１１２と、基台１１１に立設された支柱１１３とを有している。なお、支柱１１３には、後述するスライダ１３１を昇降可能に保持する昇降案内部（図示せず）がほぼ全長にわたって設けられている。また、この支柱１１３の高さは、ワンボックスカー等のように車高が比較的高い乗用車であっても、シート１を所定の高さに持ち上げて車体に対するシート１の取り外し又は取り付けが可能となるように、調整されている。
【００６０】
さらに、台車１１０の基台１１１の幅（図６の左右方向幅）は、前記洗浄装置における基台４０に取り付けられた隣り合うキャスタ４７、４７間の距離よりも小さく設定されている。これにより、台車１１０の基台１１１は、基台４０のキャスタ４７、４７間を通過して、基台４０の下方に入り込むことが可能となっている。
【００６１】
昇降手段１３０は、支柱１１３に対してアーム１２０を昇降させるもので、アーム１２０の基端が固定されるとともに支柱１１３の前記昇降案内部に昇降可能に保持されたスライダ１３１と、支柱１１３の上端部に固定された滑車１３２と、この滑車１３２に掛けられるとともに、一端がスライダ１３１に固定されたワイヤ１３３と、支柱１１３に取り付けられるとともにワイヤ１３３の他端が連結された巻き取り手段１３４とから構成されている。こうして、巻き取り手段１３４によりワイヤ１３３を巻き取ったり又は巻き戻したりすることにより、スライダ１３１を上昇させたり又は下降させたりすることができるようになっている。なお、このスライダ１３１は、支柱１１３の下端部付近から上端部付近までの範囲、すなわち支柱１１３のほぼ全長にわたって、昇降が可能とされている。また、巻き取り手段１３４によるワイヤ１３３の巻き取り又は巻き戻しは、巻き取り手段１３４の巻き取りレバー１３４ａを作業者が手で操作することにより行ってもよいし、巻き取りレバー１３４ａの代わりに電動ドリル等に用いられる電動機を利用して行ってもよい。
【００６２】
スライダ１３１に基端が固定されたアーム１２０は、略水平に延在した状態を維持しつつスライダ１３１と共に昇降自在となっている。アーム１２０の自由端側には座板１２１が固定されている。この座板１２１は、アーム１２０の自由端から横方向（図６の右方向）に略水平に延びており、延びた先端部の上面には、被吊り下げ部としての係合溝部１２２が座板１２１の幅方向に貫通するように設けられている（図９参照）。そして、この係合溝部１２２は、座板１２１の長さ方向に互いに対向する一対の対向内壁面１２２ａ、１２２ａを有している。また、座板１２１には、アーム１２０と対応する位置に、係合孔（図示せず）をもつ、被取り付け部としての管状支柱部１２３が立設されている。
【００６３】
前記保持手段１４０は、被吊り下げ部としての係合溝部１２２に着脱自在に吊り下げられた吊り下げ治具１４１と、姿勢保持具１４２とを有している。
【００６４】
吊り下げ治具１４１は、図７及び図８に示されるように、基端バー部４１１と、この基端バー部４１１の両端からそれぞれ下方（図３及び図４の下方）に延びる一対の縦棒部４１２、４１２と、各縦棒部４１２、４１２からそれぞれ斜め下方に延びる一対の斜棒部４１３、４１３と、各斜棒部４１３、４１３からそれぞれ略水平方向だがやや斜め上方に延びる水平棒部４１４、４１４と、各水平棒部４１４、４１４の先端を連結する先端バー部４１５とを有している。そして、両水平棒部４１４、４１４と、先端バー部４１５とにより、先端支持部４１６が構成されている。なお、各縦棒部４１２、４１２の略中央部同士が第１中間バー部４１７により連結されるとともに、各縦棒部４１２、４１２各斜棒部４１３、４１３との境界部同士が第２中間バー部４１８により連結されている。
【００６５】
図９に示されるように、吊り下げ治具１４１の基端バー部４１１は、係合溝部１２２内に挿嵌可能とされている。そして、この基端バー部４１１は、基端バー部４１１が係合溝部１２２内に挿嵌された状態で、係合溝部１２２の各対向内壁面１２２ａ、１２２ａにそれぞれが当接しうる一対の規制面４１１ａ、４１１ａを有している。こうして、基端バー部４１１が係合溝部１２２内に挿嵌された状態で、各規制面４１１ａ、４１１ａがそれぞれ各対向内壁面１２２ａ、１２２ａに当接することにより、アーム１２０の座板１２１に対する吊り下げ治具１４１の揺動を規制しうるようになっている。また、吊り下げ治具１４１の先端支持部４１６は、シート１の座面部２及び背もたれ部３間の隙間に差し込まれて背もたれ部３を下から支持可能とされている。
【００６６】
なお、基端バー部４１１が係合溝部１２２内に挿嵌されて各規制面４１１ａ、４１１ａがそれぞれ各対向内壁面１２２ａ、１２２ａに当接した状態で、両縦棒部４１２は上下方向に略垂直に延びており、この両縦棒部４１２から斜め下方に延びる斜棒部４１３を介して設けられた両水平棒部４１４は略水平方向だがやや斜め上方に延びている。
【００６７】
姿勢保持具１４２は、座板１２１の管状支柱部１２３の前記係合孔内に回転可能に挿嵌された軸部４２１と、この軸部４２１の上端に固定され該上端から略水平に延びる腕部４２２と、この腕部４２２の先端に自己の略中央部が固定され該先端から両横方向（図１の左右方向）に略水平に延びる先端当接部としての当接バー部４２３とを有している。姿勢保持具１４２は、管状支柱部１２３の前記係合孔内に軸部４２１が回転可能に挿嵌されることにより、当接バー部４２３が腕部４２２と共に略水平方向に旋回自在となされている。そして、シート１の座面部２及び背もたれ部３間の隙間に差し込まれた先端支持部４１６により背もたれ部３を下から支持しながらシート１を持ち上げた状態で、姿勢保持具１４２の当接バー部４２３が背もたれ部３の前面に当接可能とされており、こうして当接バー部４２３が背もたれ部３に当接することにより、吊り下げ治具１４１に対するシート１の揺動（図６における反時計回り方向への揺動）を規制し得るようになっている。
【００６８】
ここに、フロントドアを全開させた自動車のドア開口部付近に台車１１０を移動させた状態で、シート１の幅方向の略中心部に差し込まれた吊り下げ治具１４１の基端バー部４１１に対して座板１２１の係合溝部１２２が係合可能となるように、アーム１２０の長さが調整されている。また、シート１の幅方向の略中心部に差し込まれた吊り下げ治具１４１の基端バー部４１１に対して座板１２１の係合溝部１２２を係合させた状態においては、アーム１２０の管状支柱部１２３に軸部４２１が挿嵌された姿勢保持具１４２の当接バー部４２３は、背もたれ部３の幅方向の略中心部に当接可能となっている。さらに、吊り下げ治具１４１の先端支持部４１６で背もたれ部３を下から支持しながらシート１を持ち上げた状態においては、当接バー部４２３が背もたれ部３の前面に確実に当接するように、姿勢保持具１４２の腕部４２２の長さが調整されている。
【００６９】
この車両用シートの脱着補助装置の使用方法について、自動車のフロントシートを車体から取り外したり又は車体に取り付けたりする場合を例に、以下説明する
まず、作業者は、車体側の取付座（図示せず）とシート１のブラケット（図示せず）との結合状態を予め解除しておき、シート１を持ち上げ可能な状態にする。そして、座板１２１の係合溝部１２２から脱着した吊り下げ治具１４１を手で持ち、この吊り下げ治具１４１の先端支持部４１６をシート１の座面部２及び背もたれ部３間の隙間に差し込む。このとき、シート１の幅方向の略中心部に吊り下げ治具１４１を装着する。これにより、シート１を持ち上げた際に、シート１の姿勢をより安定に維持することが可能となる。また、吊り下げ治具１４１は、縦棒部４１２と先端支持部４１６との間に縦棒部４１２から斜め下方に延びる斜棒部４１３を有していることから、座面部２及び背もたれ部３間の隙間に先端支持部４１６を差し込みやすくなっており、作業者はこの差し込み作業を容易に行うことができる。なお、先端支持部４１６の先端部分（先端バー部４１５）は、背もたれ部３の背面付近まで到達している。
【００７０】
一方、巻き取り手段１３４の操作により支柱１１３に対してスライダ１３１と共にアーム１２０を昇降させ、シート１の座面部２及び背もたれ部３間の隙間に先端支持部４１６が差し込まれた吊り下げ治具１４１の基端バー部４１１よりも、係合溝部１２２が少し下方に位置するように、アーム１２０の高さを予め調整しておく。
【００７１】
そして、吊り下げ治具１４１の基端バー部４１１の真下に座板１２１の係合溝部１２２が位置するように位置合わせしながら台車１１０を移動させる。このとき、姿勢保持具１４２が基端バー部４１１と係合溝部１２２との位置合わせ作業の邪魔になるようなら、この作業の妨げとならない位置に姿勢保持具１４２を旋回させて逃がしておけばよい。いずれにせよ、この位置合わせ作業が終わった後は、当接バー部４２３を背もたれ部３の前面に当接又は近接させた状態にしておく。
【００７２】
この状態で、巻き取り手段１３４を操作してワイヤ１３３を巻き取り、スライダ１３１と共にアーム１２０を上昇させる。これにより、アーム１２０の上昇途中（上昇の初期段階）で、座板１２１の係合溝部１２２内に吊り下げ治具１４１の基端バー部４１１を挿嵌させることができる。こうして基端バー部４１１が係合溝部１２２内に挿嵌された状態では、係合溝部１２２の各対向内壁面１２２ａ、１２２ａに基端バー部４１１の各規制面４１１ａ、４１１ａがそれぞれ当接するので、これによりアーム１２０に対して吊り下げ治具１４１が揺動することを規制することができる。したがって、吊り下げ治具１４１の先端支持部４１６で支持されたシート１の揺動も抑えることができ、シート１を安定に保持することが可能となる。また、基端バー部４１１が係合溝部１２２内に挿嵌されて各規制面４１１ａ、４１１ａがそれぞれ各対向内壁面１２２ａ、１２２ａに当接した状態では、上下方向に略垂直に延た両縦棒部４１２から斜め下方に延びる斜棒部４１３を介して設けられた両水平棒部４１４がやや斜め上方に延びているため、この両水平棒部４１４及び先端バー部４１５よりなる先端支持部４１６で下から支持される背もたれ部３には、背もたれ部３を起こす方向（図６における反時計回り方向で背もたれ部３を姿勢保持具１４２の当接バー部４２３に近づける方向）に力が作用し、背もたれ部３と当接バー部４２３との当接力（当接バー部４２３に対する背もたれ部３の押圧力）を強くすることができる。したがって、先端支持部４１６で背もたれ部３を下から支持するとする力と、背もたれ部３と当接バー部４２３との当接力とにより、シート１を安定した姿勢に確実に保持することが可能となる。
【００７３】
こうして吊り下げ治具１４１及び姿勢保持具１４２によりシート１を確実に保持した状態で、巻き取り手段１３４の操作によりワイヤ１３３をさらに巻き取ってスライダ１３１と共にアーム１２０を上昇させて、シート１を所定の高さまで持ち上げる。そして、このままの状態（図６に示す状態）でキャスタ１１２を介して台車１１０をドア開口部から離れる方向に移動させれば、シート１を容易に車外へ取り出すことができる。
【００７４】
なお、シート１を車体に取り付ける際には、上述した取り外し作業を逆から実行すればよい。
【００７５】
このように、この車両用シートの脱着補助装置によれば、アーム１２０に装着された吊り下げ治具１４１及び姿勢保持具１４２によりシート１を安定した姿勢で確実に保持した状態で、巻き取り手段１３４の操作によりこのアーム１２０を昇降させたり、キャスタ１１２を介して台車１１０を任意の方向に移動させたりすることができる。このため、車体にシート１を取り付ける際又は車体からシートを取り外す際、重いシート１を持ち上げて運ぶ作業から作業者を解放することができ、作業者の負担軽減及び作業効率の向上に寄与しうる。
【００７６】
また、この車両用シートの脱着補助装置は、ロボット制御を備えた従来の前記自動装着装置と比べても、構造が簡単で、安価である。
【００７７】
そして、図６に示すようにシート１を持ち上げて車外へ取り出した後、前記洗浄装置まで運び、図１に示すように台車１１０の基台１１１を前記洗浄装置の基台４０の下方に入り込ませて、シート１を回転洗浄台５０上の所定の位置に配置させる。この状態で巻き取り手段１３４の操作により、ワイヤ１３３を所定量巻き戻してスライダ１３１と共にアーム１２０を下降させれば、シート１を回転洗浄台５０の上に載せることができる。
【００７８】
こうして、シート１を回転洗浄台５０の上に載せた後は、台車１１０を後退させてから、前記洗浄装置を使って、シート１を洗浄することができる。
【００７９】
したがって、この実施形態によれば、車体からのシート１の取り外し作業、シート１の前記洗浄装置までの移動及び前記回転洗浄台５０上への載置作業を、この脱着補助装置により極めて容易にかつ効率的に行うことができ、作業者の負担軽減及び作業効率の向上を一層図ることが可能となる。
【００８０】
（その他の実施形態）
吊り下げ治具１４１の形状については、前述の実施形態で示したものに限られず、アームの被吊り下げ部に着脱自在に装着され、かつ、座面部２及び背もたれ部３間の隙間に差し込まれて背もたれ部３を下から支持可能な先端支持部を有するものであれば特に限定されない。例えば、図１０に示されるように、座面部２及び背もたれ部３間の隙間に差し込まれて背もたれ部３を下から支持可能な先端支持部４１６の先端からさらに屈曲して延び、座面部２の背面に当接可能な座面支持部４１７を有するような形状とすることもできる。
【００８１】
また、前述の実施形態では、アーム１２０の被吊り下げ部に対して吊り下げ治具１４１を着脱自在に装着する手段として、被吊り下げ部としての係合溝部１２２に吊り下げ治具１４１の基端バー部４１１を挿嵌させる例について説明したが、これに限定されるものではない。例えば、被吊り下げ部としてフック等の被引っ掛け部を採用するとともに、この被引っ掛け部に引っ掛けることのできるチェーン等の引っ掛け部材を吊り下げ治具に取り付ける態様としてもよい。
【００８２】
さらに、スライダ１３１を昇降させるための昇降手段１３０として、図１１に示されるように、ギア機構を採用することも可能である。すなわち、この昇降手段１３０は、アーム１２０の基端が固定されるとともに、支柱１１３に昇降可能に保持されたスライダ１３１と、上下方向に延設されるとともに自己の下端がスライダ１３１に固定され、上方部にラック部１３５ａを有するラック部材１３５と、支柱１１３の上端部に取り付けられ、ラック部１３５ａと噛み合い係合可能なピニオン１３６と、ピニオン１３６を回転操作するためのレバー１３７とを備えている。この昇降手段１３０では、スライダ１３１に固体されたラック部材１３５のラック部１３５ａと噛み合い係合するピニオン１３６をレバー１３７で回転操作することにより、スライダ１３１と共にアーム１２０を昇降させることができる。
【００８３】
加えて、前述の実施形態では、姿勢保持具１４２を旋回自在とする例について説明したが、この姿勢保持具はアームの被取り付け部に固定状態で取り付けてもよい。
【００８４】
また、前述の実施形態では、自動車のフロントシートを車体から取り外す等する場合を例に説明したが、この車両用シートの脱着補助装置は、自動車以外の車両、例えばトラック等のフロントシートを車体から取り外す等する場合や、車両のリアシートを車体から取り外す等する場合にも適用しうることは勿論である。
【００８５】
（付記）
前述した実施形態から、以下に示す発明を把握することも可能である。
【００８６】
（第１項）基台、該基台を移動自在とするキャスタ及び該基台に立設された支柱を有する台車と、
略水平に延在した状態を維持しつつ昇降自在となるように前記支柱に取り付けられたアームと、
前記支柱に対して前記アームを昇降させる昇降手段と、
前記アームの自由端側に装着され、シートを保持可能な保持手段と、
を備えることを特徴とする車両用シートの脱着補助装置。
【００８７】
この車両用シートの脱着補助装置では、アームに装着された保持手段にシートを保持させた状態で、昇降手段によりこのアームを昇降させたり、キャスタを介して台車を任意の方向に移動させたりすることができる。このため、車体にシートを取り付ける際又は車体からシートを取り外す際、重いシートを持ち上げて運ぶ作業から作業者を解放することができ、作業者の負担軽減及び作業効率の向上に寄与しうる。
【００８８】
また、この車両用シートの脱着補助装置は、ロボット制御を備えた従来の前記自動装着装置と比べても、構造が簡単で、安価である。
【００８９】
（第２項）  前記アームは被吊り下げ部を前記自由端側に有する一方、前記保持手段は該被吊り下げ部に着脱自在に吊り下げられた吊り下げ治具を有し、かつ、
前記吊り下げ治具は、前記シートの座面部及び背もたれ部間の隙間に差し込まれて該背もたれ部を下から支持可能な先端支持部を有していることを特徴とする前記第１項記載の車両用シートの脱着補助装置。
【００９０】
この態様によれば、車体にシートを取り付ける際又は車体からシートを取り外す際、作業者が以下の手順で作業することにより、作業者の負担軽減及び作業効率の向上を一層図ることができるとともに、シートを確実に保持することができる。
【００９１】
まず、作業者は吊り下げ治具を手で持って吊り下げ治具の先端支持部をシートの座面部及び背もたれ部間の隙間に差し込む。そして、この吊り下げ治具がアームの被吊り下げ部に装着可能となる位置まで台車を移動させる。そして、アームの被吊り下げ部に吊り下げ治具を装着した後、昇降手段によりアームを上昇させる。なお、後述するように吊り下げ治具及び被吊り下げ部の態様によっては、アームの上昇途中（上昇の初期段階）で、被吊り下げ部に吊り下げ治具を装着することもできる。こうしてアームを上昇させれば、座面部及び背もたれ部の隙間に差し込まれた吊り下げ治具の先端支持部で背もたれ部を下から支持しながら、シートを確実に保持して持ち上げることができる。
【００９２】
（第３項）  前記被吊り下げ部は、前記アームの自由端から略水平に延びる座板の上面に設けられた係合溝部よりなり、該係合溝部は、該座板の幅方向に貫通し、かつ、該座板の長さ方向に互いに対向する一対の対向内壁面をもつ一方、
前記吊り下げ治具は前記係合溝部内に挿嵌可能な基端バー部を有し、該基端バー部は、該基端バー部が該係合溝部内に挿嵌された状態で各前記対向内壁面にそれぞれが当接することにより前記アームに対する該吊り下げ治具の揺動を規制しうる一対の規制面をもっていることを特徴とする前記第２項記載の車両用シートの脱着補助装置。
【００９３】
この態様によれば、車体にシートを取り付ける際又は車体からシートを取り外す際、作業者が以下の手順で作業することにより、作業者の負担軽減及び作業効率の向上を一層図ることができるとともに、シートをより確実に保持することができる。
【００９４】
すなわち、吊り下げ治具の先端支持部をシートの座面部及び背もたれ部間の隙間に差し込んだ後、この吊り下げ治具の基端バー部の真下に座板の係合溝部が位置するように位置合わせしながら台車を移動させる。この状態でアームを上昇させれば、アームの上昇途中（上昇の初期段階）で、座板の係合溝部内に吊り下げ治具の基端バー部を挿嵌させることができる。また、こうして基端バー部が係合溝部内に挿嵌された状態では、係合溝部の各対向内壁面に基端バー部の各規制面がそれぞれ当接するので、これによりアームに対して吊り下げ治具が揺動することを規制することができる。したがって、吊り下げ治具の先端支持部で支持されたシートの揺動も抑えることができ、シートを安定に保持することが可能となる。
【００９５】
（第４項）  前記保持手段は、前記背もたれ部の前面に自己の先端当接部が当接することにより前記吊り下げ治具に対する前記シートの揺動を規制して該シートの姿勢を安定に保持しうる姿勢保持具をさらに有していることを特徴とする前記第２項又は第３項記載の車両用シートの脱着補助装置。
【００９６】
この態様によれば、座面部及び背もたれ部の隙間に差し込まれた吊り下げ治具の先端支持部で背もたれ部を下から支持しながら、背もたれ部の前面に姿勢保持具の先端当接部が当接することにより吊り下げ治具に対するシートの揺動を規制してシートの姿勢を安定に保持することができる。したがって、シートをより安定に保持することが可能となる。
【００９７】
（第５項）  前記アームは前記姿勢保持具が取り付けられる被取り付け部を前記自由端側に有する一方、該姿勢保持具は前記先端当接部が略水平方向に旋回自在となるように該被取り付け部に取り付けられていることを特徴とする前記第４項記載の車両用シートの脱着補助装置。
【００９８】
この態様によれば、姿勢保持具の先端当接部が旋回自在となるように、アームの被取り付け部に該姿勢保持具が取り付けられているので、作業効率の向上を一層図ることができる。すなわち、座面部及び背もたれ部の隙間に差し込まれた吊り下げ治具に対してアームの被吊り下げ部を位置合わせする際に、この作業の妨げとならない位置に姿勢保持具の先端当接部を旋回させて逃がしておくことができる。
【００９９】
（第６項）  前記昇降手段は、
前記アームの基端が固定されるとともに、前記支柱に昇降可能に保持されたスライダと、
前記支柱の上端部に固定された滑車と、
前記滑車に掛けられるとともに、一端が前記スライダに固定されたワイヤと、
前記支柱に取り付けられるとともに前記ワイヤの他端が連結され、該ワイヤの巻き取り又は巻き戻しにより前記スライダを上昇又は下降させうる巻き取り手段とから構成されていることを特徴とする前記第１項、第２項、第３項、第４項又は第５項記載の車両用シートの脱着補助装置。
【０１００】
この態様によれば、支柱の上端部に固定された滑車に掛けられたワイヤを巻き取り手段により巻き取ったり又は巻き戻したりすることにより、スライダとともにアームを上昇させたり又は下降させたりすることができる。このため、支柱の高さ（滑車の固定位置）やワイヤの長さ等の調整次第で、アームやアームと共に昇降するシートの昇降位置（最大上昇位置や最大下降位置）を任意に調整する可能となる。また、このとき、支柱を高くしてシートの最大上昇位置を高くした場合であっても、巻き取り手段の取り付け位置（高さ）を作業者が操作可能な範囲におさめることができる。
【０１０１】
（第７項）  前記昇降手段は、
前記アームの基端が固定されるとともに、前記支柱に昇降可能に保持されたスライダと、
上下方向に延設されるとともに自己の下端が前記スライダに固定され、少なくとも上方部にラック部を有するラック部材と、
前記支柱の上端部に取り付けられ、前記ラック部と噛み合い係合可能なピニオンとを備えていることを特徴とする前記第１項、第２項、第３項、第４項又は第５項記載の車両用シートの脱着補助装置。
【０１０２】
この態様によれば、スライダに固体されたラック部材のラック部と噛み合い係合するピニオンを回転操作することにより、スライダと共にアームを昇降させることができる。このようなギア機構を利用すれば、スライダと共にアームを昇降させる際に昇降位置の微調整がし易くなるとともに昇降手段の耐久性の点で有利となる。
【０１０３】
（第８項）  前記第１乃至第７項記載のいずれかの車両用シートの脱着補助装置と、請求項１乃至９記載のいずれかの洗浄装置とからなることを特徴とする車両用シートの洗浄装置。
【０１０４】
（第９項）  前記洗浄装置の基台の下方に前記脱着補助装置の台車の基台を入り込ませることができるように設定されていることを特徴とする前記第８項記載の車両用シートの洗浄装置。
【０１０５】
（第１０項）  前記第１乃至第７項記載のいずれかの車両用シートの脱着補助装置を用いて車体からシートを取り外す取り外し工程と、請求項１乃至９記載のいずれかの洗浄装置を用いて該シートを洗浄する洗浄工程とからなることを特徴とする車両用シートの洗浄方法。
【図面の簡単な説明】
【０１０６】
【図１】本発明の実施形態の一つにおける洗浄装置の全体構成を模式的に示す側面図である。
【図２】前記洗浄装置に係り、第１洗浄機器の構成を模式的に示す構成図である。
【図３】前記洗浄装置に係り、第２洗浄機器の構成を模式的に示す構成図である。
【図４】前記洗浄装置に係り、第３洗浄機器の構成を模式的に示す構成図である。
【図５】本発明の他の実施形態に係り、車両用シートの脱着補助装置の全体構成を模式的に示す側面図である。
【図６】前記車両用シートの脱着補助装置の正面図であり、シートを保持した状態を模式的に示す図である。
【図７】前記車両用シートの脱着補助装置に係り、吊り下げ治具の正面図である。
【図８】前記車両用シートの脱着補助装置に係り、吊り下げ治具の斜視図である。
【図９】前記車両用シートの脱着補助装置に係り、吊り下げ治具を被吊り下げ部としての係合溝部に装着した状態を示す一部断面正面図である。
【図１０】吊り下げ治具の他の形態に係り、吊り下げ治具を被吊り下げ部としての係合溝部に装着した状態を示す一部断面正面図である。
【図１１】昇降手段の他の形態を示す部分正面図である。
【符号の説明】
【０１０７】
１…シート（フロントシート）      ２…座面部
３…背もたれ部                  １０…第１洗浄機器
１１…第１ノズル                  １８…第１切替スイッチ
１９…第１復帰スイッチ            ２０…第２洗浄機器
２１…第２ノズル                  ２８…第２切替スイッチ
２９…第２復帰スイッチ            ３０…第３洗浄機器
３１…第３ノズル                  ３３…第３復帰スイッチ
４０…基台                        ４１…収容部
４７…キャスタ                    ５０…回転洗浄台
５１…回転機構                    ６１…ストッパ部
６２…足踏みレバー部            １１０…台車
１１１…基台                      １１２…キャスタ
１１３…支柱                      １２０…アーム
１２１…座板                      １２２…係合溝部
１２２ａ…対向内壁面              １２３…管状支柱部（被取り付け部）
１３０…昇降手段                  １３１…スライダ
１３２…滑車                      １３３…ワイヤ
１３４…巻き取り手段              １３５…ラック部材
１３５ａ…ラック部                １３６…ピニオン
１４０…保持手段                  １４１…吊り下げ治具
４１１…基端バー部                ４１６…先端支持部
４１１ａ…規制面                  １４２…姿勢保持具
４２３…当接バー部（先端当接部）
【図１】
2005081232.tif 000003
【図２】
2005081232.tif 000004
【図３】
2005081232.tif 000005
【図４】
2005081232.tif 000006
【図５】
2005081232.tif 000007
【図６】
2005081232.tif 000008
【図７】
2005081232.tif 000009
【図８】
2005081232.tif 000010
【図９】
2005081232.tif 000011
【図１０】
2005081232.tif 000012
【図１１】
2005081232.tif 000013